【手続補正書】
【提出日】平成26年3月28日(2014.3.28)
【手続補正１】
【補正対象書類名】特許請求の範囲
【補正対象項目名】全文
【補正方法】変更
【補正の内容】
【特許請求の範囲】
【請求項１】
図柄の変動開始から図柄の確定停止までを１回とする図柄変動ゲームを表示装置に表示し、当該図柄変動ゲームで導出された図柄が当り図柄である場合には当り遊技が生起され、前記図柄変動ゲームにおいて前記当り図柄が導出されるか否かの可能性を示唆する予告演出を実行可能な遊技機において、
前記予告演出は、図柄の変動開始から図柄の一旦停止までを１回とする変動サイクルを複数回連続して実行可能な連続演出を含み、
最終回の変動サイクルで特定列に導出させる基準図柄を決定する第１の図柄決定手段と、
前記連続演出が実行される場合、最終回の変動サイクルを除く各変動サイクルで特定列に導出させる基準図柄を決定する第２の図柄決定手段と、を備え、
前記図柄変動ゲームで導出される前記図柄は、当りとなった場合に付与される特典の有利度に応じて、当り表示結果が対応付けられており、
前記第２の図柄決定手段は、
前記連続演出を伴って実行される初回の変動サイクルにおける基準図柄を、最終回の変動サイクルにおける基準図柄に基づいて決定する一方で、２回目以降の少なくとも１回の変動サイクルでは、直前の変動サイクルにおける基準図柄に基づいて当該変動サイクルにおける基準図柄を決定し、
最終回の変動サイクル及び初回の変動サイクルを除く各変動サイクルでは、１つ前の変動サイクルで導出される基準図柄に定められた有利度以上となるように基準図柄を決定することを特徴とする遊技機。
【請求項２】
前記最終回の変動サイクルを除く各変動サイクルの前記基準図柄を決定する際に前記第２の図柄決定手段が参照するテーブルを複数有し、
前記第２の図柄決定手段は、前記最終回の変動サイクルで導出させる前記基準図柄に応じて参照するテーブルを異ならせるようになっており、
各テーブルは、前記第２の図柄決定手段が基準図柄を決定する際に基づく基準図柄に応じて決定可能な基準図柄の振り分けが異なっていることを特徴とする請求項１に記載の遊技機。
【請求項３】
各テーブルは、有利度の高い図柄ほど前記基準図柄として決定し難いように振り分けられているとともに、前記第２の図柄決定手段が基準図柄を決定する際に基づく基準図柄よりも有利度の低い図柄を基準図柄として決定しないように振り分けられていることを特徴とする請求項２に記載の遊技機。
【請求項４】
前記第１の図柄決定手段及び前記第２の図柄決定手段が決定する基準図柄は、遊技者にとって最も有利な特典を付与する第１特典当りが付与される場合に限って前記当り表示結果を構成する図柄として決定される第１図柄と、
前記第１特典当り又は前記第１特典当りよりも有利度の低い第２特典当りが付与される場合に前記当り表示結果を構成する図柄として決定される第２図柄と、
前記第１特典当り、前記第２特典当り、又は前記第１特典当り並びに前記第２特典当りの何れよりも有利度の低い第３特典当りのうちいずれかが付与される場合に前記当り表示結果を構成する図柄として決定される第３図柄と、
前記第１特典当り、前記第２特典当り、又は前記第３特典当りのうちいずれかが付与される場合に前記当り表示結果を構成する図柄として決定される一方で、前記第３特典当りが付与される場合、前記第３図柄よりも決定され易い第４図柄と、を含むことを特徴とする請求項１〜請求項３のうちいずれか一項に記載の遊技機。
【請求項５】
前記図柄変動ゲームの変動内容には、前記当り表示結果を導出した後に再変動を行って再変動後図柄を導出する再変動演出を含み、
前記再変動後図柄の導出形態には、再変動前の基準図柄と同一図柄を導出させる第１パターンと、再変動前の基準図柄よりも有利な図柄を導出させる第２パターンと、があり、
前記第１の図柄決定手段は、
前記第１パターンで前記再変動後図柄を導出させる場合、前記再変動後図柄と同一図柄を前記最終回の変動サイクルにおける基準図柄として決定するとともに、前記第２パターンで前記再変動後図柄を導出させる場合、前記再変動後図柄に定められた有利度以下の図柄を、前記最終回の変動サイクルにおける基準図柄として決定することを特徴とする請求項１〜請求項４のうちいずれか一項に記載の遊技機。
【請求項６】
前記第１の図柄決定手段は、前記図柄変動ゲームではずれ図柄を導出する場合、前記最終回の変動サイクルの基準図柄を前記図柄変動ゲームで用いる全ての図柄の中から決定することができ、前記連続演出における変動サイクルの回数が多いほど、有利な図柄を前記基準図柄として決定し易いことを特徴とする請求項１〜請求項５のうちいずれか一項に記載の遊技機。
【手続補正２】
【補正対象書類名】明細書
【補正対象項目名】０００７
【補正方法】変更
【補正の内容】
【０００７】
上記問題点を解決するために、請求項１に記載の発明は、図柄の変動開始から図柄の確定停止までを１回とする図柄変動ゲームを表示装置に表示し、当該図柄変動ゲームで導出された図柄が当り図柄である場合には当り遊技が生起され、前記図柄変動ゲームにおいて前記当り図柄が導出されるか否かの可能性を示唆する予告演出を実行可能な遊技機において、前記予告演出は、図柄の変動開始から図柄の一旦停止までを１回とする変動サイクルを複数回連続して実行可能な連続演出を含み、最終回の変動サイクルで特定列に導出させる基準図柄を決定する第１の図柄決定手段と、前記連続演出が実行される場合、最終回の変動サイクルを除く各変動サイクルで特定列に導出させる基準図柄を決定する第２の図柄決定手段と、を備え、前記図柄変動ゲームで導出される前記図柄は、当りとなった場合に付与される特典の有利度に応じて、当り表示結果が対応付けられており、前記第２の図柄決定手段は、前記連続演出を伴って実行される初回の変動サイクルにおける基準図柄を、最終回の変動サイクルにおける基準図柄に基づいて決定する一方で、２回目以降の少なくとも１回の変動サイクルでは、直前の変動サイクルにおける基準図柄に基づいて当該変動サイクルにおける基準図柄を決定し、最終回の変動サイクル及び初回の変動サイクルを除く各変動サイクルでは、１つ前の変動サイクルで導出される基準図柄に定められた有利度以上となるように基準図柄を決定することを要旨とする。
【手続補正３】
【補正対象書類名】明細書
【補正対象項目名】０００８
【補正方法】変更
【補正の内容】
【０００８】
請求項２に記載の発明は、請求項１に記載の遊技機において、前記最終回の変動サイクルを除く各変動サイクルの前記基準図柄を決定する際に前記第２の図柄決定手段が参照するテーブルを複数有し、前記第２の図柄決定手段は、前記最終回の変動サイクルで導出させる前記基準図柄に応じて参照するテーブルを異ならせるようになっており、各テーブルは、前記第２の図柄決定手段が基準図柄を決定する際に基づく基準図柄に応じて決定可能な基準図柄の振り分けが異なっていることを要旨とする。
【手続補正４】
【補正対象書類名】明細書
【補正対象項目名】０００９
【補正方法】変更
【補正の内容】
【０００９】
請求項３に記載の発明は、請求項２に記載の遊技機において、各テーブルは、有利度の高い図柄ほど前記基準図柄として決定し難いように振り分けられているとともに、前記第２の図柄決定手段が基準図柄を決定する際に基づく基準図柄よりも有利度の低い図柄を基準図柄として決定しないように振り分けられていることを要旨とする。
【手続補正５】
【補正対象書類名】明細書
【補正対象項目名】００１０
【補正方法】変更
【補正の内容】
【００１０】
請求項４に記載の発明は、請求項１〜請求項３のうちいずれか一項に記載の遊技機において、前記第１の図柄決定手段及び前記第２の図柄決定手段が決定する基準図柄は、遊技者にとって最も有利な特典を付与する第１特典当りが付与される場合に限って前記当り表示結果を構成する図柄として決定される第１図柄と、前記第１特典当り又は前記第１特典当りよりも有利度の低い第２特典当りが付与される場合に前記当り表示結果を構成する図柄として決定される第２図柄と、前記第１特典当り、前記第２特典当り、又は前記第１特典当り並びに前記第２特典当りの何れよりも有利度の低い第３特典当りのうちいずれかが付与される場合に前記当り表示結果を構成する図柄として決定される第３図柄と、前記第１特典当り、前記第２特典当り、又は前記第３特典当りのうちいずれかが付与される場合に前記当り表示結果を構成する図柄として決定される一方で、前記第３特典当りが付与される場合、前記第３図柄よりも決定され易い第４図柄と、を含むことを要旨とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
請求項５に記載の発明は、請求項１〜請求項４のうちいずれか一項に記載の遊技機において、前記図柄変動ゲームの変動内容には、前記当り表示結果を導出した後に再変動を行って再変動後図柄を導出する再変動演出を含み、前記再変動後図柄の導出形態には、再変動前の基準図柄と同一図柄を導出させる第１パターンと、再変動前の基準図柄よりも有利な図柄を導出させる第２パターンと、があり、前記第１の図柄決定手段は、前記第１パターンで前記再変動後図柄を導出させる場合、前記再変動後図柄と同一図柄を前記最終回の変動サイクルにおける基準図柄として決定するとともに、前記第２パターンで前記再変動後図柄を導出させる場合、前記再変動後図柄に定められた有利度以下の図柄を、前記最終回の変動サイクルにおける基準図柄として決定することを要旨とする。
請求項６に記載の発明は、請求項１〜請求項５のうちいずれか一項に記載の遊技機において、前記第１の図柄決定手段は、前記図柄変動ゲームではずれ図柄を導出する場合、前記最終回の変動サイクルの基準図柄を前記図柄変動ゲームで用いる全ての図柄の中から決定することができ、前記連続演出における変動サイクルの回数が多いほど、有利な図柄を前記基準図柄として決定し易いことを要旨とする。
【手続補正８】
【補正対象書類名】明細書
【補正対象項目名】０１４６
【補正方法】変更
【補正の内容】
【０１４６】
次に、上記実施形態及び別例から把握できる技術的思想を以下に追記する。
（イ）前記図柄変動ゲームの変動内容には、大当りを認識可能な仮の大当り図柄を一旦表示した後、その仮の大当り図柄を再び変動させて最終的な大当り図柄を表示させる大当り図柄再変動演出を含み、前記図柄決定手段は、前記大当り図柄再変動演出が実行される場合、前記仮の大当り図柄を形成する図柄と、前記最終的な大当り図柄を形成する図柄と、を決定するとともに、最終的な大当り図柄を構成する図柄に定められた有利度以下となる図柄によって構成される仮の大当り図柄をもとに、初回の変動サイクルで導出させる図柄を決定する。
【手続補正９】
【補正対象書類名】明細書
【補正対象項目名】０１４７
【補正方法】変更
【補正の内容】
【０１４７】
（ロ）前記連続演出は、複数種類の図柄を変動させてから図柄を確定停止表示するまでを１回とする図柄変動ゲームの中で行われる。